(57)【要約】【課題】低音域を再生するスピーカと、中高音域を再生する２つのスピーカで音場拡大効果を得ると共に高級感が得られるようにする。【解決手段】映像表示装置は、薄型表示装置を備えた表示部本体と、１つの低音域用スピーカ（ウーハ）（３）と、２つの中高音域用スピーカ（ツイータ）（４ａ，４ｂ）とを有している。スピーカを内蔵する筐体には、各スピーカ（３，４ａ，４ｂ）の口径と略対応する第１の領域Ｒ１に複数の貫通孔が形成され、その第１の領域Ｒ１の周囲の第２の領域Ｒ２に複数の非貫通孔が形成される。そして第２の領域Ｒ２の外周形状及び寸法が、第１のスピーカ（３）と第２のスピーカ（４ａ，４ｂ）とで異なるようにする。上述の構成により、１つのウーハと２つのツイータにより、良好な音場拡大効果と高級感とを得ることができる。【選択図】図９
2006325242.tif 000002
【特許請求の範囲】
【請求項１】
映像を表示する表示部を備えた表示部本体と、低音域を再生する第１のスピーカと、中高音域を再生する第２のスピーカとを備えた映像表示装置において、前記第１のスピーカ及び前記第２のスピーカを内蔵する筐体は、各前記スピーカの対向部で該スピーカの口径と略対応する第１の領域に複数の貫通孔が形成されるとともに、該第１の領域の周囲の第２の領域に複数の非貫通孔が形成され、前記第２の領域の外周形状及び／または寸法が、前記第１のスピーカに対応する第２の領域と前記第２のスピーカに対応する第２の領域とで互いに異なることを特徴とする映像表示装置。
【請求項２】
請求の範囲第１項に記載の映像表示装置において、前記第１及び第２のスピーカは、前記表示部本体に設けられ、前記第１のスピーカは、前記表示部の下部または上部に設けられるとともに、前記第２のスピーカは、前記第１のスピーカの左右に設けられていることを特徴とする映像表示装置。
【請求項３】
請求の範囲第１項に記載の映像表示装置において、該映像表示装置は、前記表示部本体を支持するスタンドを有し、前記第１及び第２のスピーカは、前記スタンドに設けられ、前記第２のスピーカは、前記第１のスピーカの左右に設けられていることを特徴とする映像表示装置。
【請求項４】
請求の範囲第１項ないし第３項のいずれか１項に記載の映像表示装置において、前記第１のスピーカの口径は、前記第２のスピーカの口径より大きいことを特徴とする映像表示装置。
【請求項５】
請求の範囲第１項ないし第４項のいずれか１項に記載の映像表示装置において、前記第１の領域の面積に対する前記貫通孔の総開口面積の割合は、前記第２のスピーカに対応する第１の領域より前記第１のスピーカに対応する第１の領域の方が大きいことを特徴とする映像表示装置。
【発明の詳細な説明】
【技術分野】
【０００１】
本発明は、映像表示装置に関し、より具体的には、液晶表示装置（ＬＣＤ）やプラズマディスプレイ装置（ＰＤＰ）等の薄型表示部を備えたパーソナルコンピュータ（以下、パソコンと略す）、またはテレビ受像機などに適用される映像表示装置に関する。
【背景技術】
【０００２】
近年、電子技術の発達やユーザニーズの高まりにより、電子装置の小型化や薄型化が進んでいる。テレビ受像機においては、薄型化を図るため、ブラウン管を用いたものから、液晶を用いた液晶テレビ、プラズマの発光を応用したプラズマテレビ等が市場に導入されている。テレビ受像機は、画像と音声とを出力する機能を有し、音声の出力に関しては、一般的にスピーカが用いられる。
【０００３】
典型的な従来のテレビ受像機のスピーカ部分の構造について、図１及び図２に示すごとくの例が知られている（例えば、下記特許文献１参照）。図１（Ａ）は、スピーカの取り付け部にスピーカボックスを用いた構成の一例を示す要部斜視構成図で、図１（Ｂ）は、スピーカ単体をテレビ受像機のキャビネットに直接取付けた構成の一例を示す要部斜視構成図である。
【０００４】
図１（Ａ）の構成例において、テレビ受像機１０１は、前面キャビネット１０２、ブラウン管等のディスプレイ１０３、後方カバー１０４により大略構成されている。前面キャビネット１０２には、スピーカ１０６を取付けたスピーカボックス１０７が防振材１０８を介してビス１０９にて取付けられている。スピーカ１０６から発生した音声は、前面キャビネット１０２に設けられた通気孔（図示せず）により、テレビ受像機１０１の前面に拡散される。
【０００５】
また、図１（Ｂ）の構成例において、テレビ受像機１０１の前面キャビネット１０２には、スピーカ１０６が防振材１０８を介してビス１０９にて取付けられている。スピーカ１０６から発生した音声は、図１（Ａ）と同様に、前面キャビネット１０２に設けられた通気孔（図示せず）よりテレビ受像機１０１の前面に拡散される。
【０００６】
図２は、従来のテレビ受像機の他の構成例を示す要部斜視構成図である。図２の構成によれば、Ｌ型に屈曲させたスピーカボックス１０７の屈曲部をディスプレイ１０３と後方カバー１０４の間に配置した構成とすることにより、テレビ受像機を薄型化しつつ、高音質で音声を出力することができる。
【０００７】
図３は、従来のテレビ受像機の更に他の構成例を示す平面概略図で、テレビ受像機１１０の前面に、左右に一対の中高音域用スピーカ１１１が設けられ、さらにテレビ受像機１１０の背面に、１個の低音域用スピーカ１１２が設けられることにより、音場拡大効果を増大させることができる（例えば、下記特許文献２参照）。この場合、図３に示すように、左右の中高音域用スピーカ１１１から出力された中高音域の音は経路Ｄにより直接に聴取者１２０に到達する。また低音域用スピーカ１１２から出力された低音域の音は、経路Ｒによって後部壁面１１３，側壁１１４，１１５で反射して聴取者１２０に到達するとともに、経路Ｔによってテレビ受像機１１０の左右側面１１０ａ，１１０ｂに沿った回折音として聴取者１２０に到達する。これによりテレビ受像機１１０の横幅を増大することなく、音場を充分に拡大させることができる。
【０００８】
図４は、従来のテレビ受像機の更に他の構成例を示す図で、テレビ受像機のスピーカ装置は、スピーカ１３８と、そのスピーカ１３８の前面側に配した音導管１３７と、スピーカ１３８の後面側に配したウーハボックス１３１とを有し、ウーハボックス１３１のポート１４０が下向きに形成されている。そしてテレビ受像機は、ＣＲＴ１３４、制御回路基板１３５及びスピーカ装置を収納するキャビネット１３２と、バックカバー１３３とにより構成され、キャビネット１３２の前面側には、音導管１３７と対応した放音孔１３９がを備えられ、底面側には、ポート１４０に対応した開口１３６がを備えられ、キャビネット１３２の底面より放音して低音を増強させる（例えば、下記特許文献３参照）。
【０００９】
テレビ受像機において、必要な低音再生をするには大口径スピーカを必要とし、また大口径スピーカを使用した場合、中高音域再生用に更に２つのツイータを必要とする。一方、最近のテレビ受像機においては、デザイン重視の観点からスピーカに与えられる占有面積は非常に小さくなっており、そのため小口径スピーカを使用し、低音再生を犠牲としている。
【００１０】
また、従来のテレビ受像機において、図１（Ａ）に示すごとくの薄型化したテレビ受像機は、スピーカボックスが収納できなかったり、スピーカボックス自体もテレビ受像機の奥行きの制限を受けるために容積が小さくなり、音質が低下するという不具合点があった。また、図１（Ｂ）に示すごとくのテレビ受像機は、スピーカボックスを内蔵していないため、ダイナミックレンジが低く、高音質なテレビ受像機には適用しにくいという不具合点があった。また、図４に示すテレビ受像機は、ブラウン管式のテレビ受像機であって、液晶テレビ等を用いた壁掛け用では低音域用の背面スピーカの特性が十分に発揮されない。
【特許文献１】特開平０９−２８４６７４号公報
【特許文献２】特開昭５９−２０１６００号公報
【特許文献３】特開２００１−１４５１８６号公報
【発明の開示】
【発明が解決しようとする課題】
【００１１】
本発明は、上述のごとき実情に鑑みてなされたもので、液晶表示装置（ＬＣＤ）、プラズマディスプレイ装置（ＰＤＰ）等の薄型表示装置を備えたパソコン、またはテレビ受像機などにおいて、スピーカの配置と構造により、低音域を再生するスピーカ（ウーハ）１つと、中高音域を再生する２つのスピーカ（ツイータ）で音場拡大効果を得ると共に高級感が得られるようにしたテレビ受像機に適用可能な映像表示装置を提供することを目的とするものである。
【課題を解決するための手段】
【００１２】
本発明にかかる映像表示装置は、映像を表示する表示部を備えた表示部本体と、低音域を再生する第１のスピーカと、中高音域を再生する第２のスピーカとを備え、前記第１のスピーカ及び前記第２のスピーカを内蔵する筐体は、各前記スピーカの対向部で該スピーカの口径と略対応する第１の領域に複数の貫通孔が形成されるとともに、該第１の領域の周囲の第２の領域に複数の非貫通孔が形成され、前記第２の領域の外周形状及び／または寸法が、前記第１のスピーカに対応する第２の領域と前記第２のスピーカに対応する第２の領域とで互いに異なることを特徴としている。このことにより、見かけ上、スピーカを大きく見せることができ、高級感を得ることができる。また、第１のスピーカと、その左右に配置される第２のスピーカとの視覚的なバランスを良好なものとして、優れた外観デザインを実現するとともに、キャビネットの強度を維持することが可能となる。
【００１３】
さらに、上記映像表示装置において、前記第１及び第２のスピーカが前記表示部本体に設けられ、前記第１のスピーカは、前記表示部の下部または上部に設けられるとともに、前記第２のスピーカは、前記第１のスピーカの左右に設けられていることを特徴としている。
【００１４】
また、上記映像表示装置において、該映像表示装置は、前記表示部本体を支持するスタンドを有し、前記第１及び第２のスピーカはが、前記スタンドに設けられ、前記第２のスピーカは、前記第１のスピーカの左右に設けられていることを特徴としている。このことにより、本体にスピーカを備える必要がなく、薄型で小型なテレビ受像機が提供できる。
【００１５】
さらに、上記映像表示装置は、前記第１のスピーカの口径が、前記第２のスピーカの口径より大きいことを特徴としている。
【００１６】
さらに、上記映像表示装置において、前記第１の領域の面積に対する前記貫通孔の総開口面積の割合は、前記第２のスピーカに対応する第１の領域より前記第１のスピーカに対応する第１の領域の方が大きいことを特徴としている。
【発明を実施するための最良の形態】
【００１７】
以下、本発明の実施の形態を、図面を用いて詳細に説明する。図５は、本発明の一実施形態にかかるテレビ受像機を示す図で、図５（Ａ）は正面図、図５（Ｂ）は右側面図、図５（Ｃ）は裏面図である。テレビ受像機１０は、液晶表示装置（ＬＣＤ）、プラズマディスプレイ装置（ＰＤＰ）等の薄型表示装置２を表示部として使用した表示本体部１を備え、表示本体部１の前面下部に中高音域を再生する左右一組の中高音域用スピーカ４ａ，４ｂと、上記一組の中高音域用スピーカ４ａ，４ｂの間に配置された低音域を再生する低音域用スピーカ（ウーハ）３とを具備している。
【００１８】
スタンド８は、スタンド支柱５と、スタンド底体６と、把手部７とから構成され、上部に備えられた把手部７によって把手を兼ねている。スタンド８と表示本体部１の背面は、スタンド８の上部でネジ９によってネジ止めされ、これらスタンド８と表示本体部１とが着脱可能な構成となっている。これにより、スタンド型と壁掛型の二通りの使用形態を選択することができ、ユーザに対して高い利便性を提供する。
【００１９】
次に、図５に示す第一の実施の形態において、低音域を再生するスピーカ（ウーハ）３について、図６ないし図８と共に詳細に説明する。図６は、図５の表示本体部１の内部を裏面側から見た概略図である。図６おいて、４ａ，４ｂは中高音域用スピーカ、１１は低音域用スピーカ（ウーハ）ボックス、１２はダクトの排出口（放音口）である。
【００２０】
図７及び図８は、図６に示すスピーカボックス１１及びダクト排出口１２の内部構造を説明するための図で、低音域用スピーカボックス１１内部の要部構成図を図７に示し、低音域用スピーカボックス１１の斜視外観図を図８に示す。
【００２１】
低音域用スピーカ（ウーハ）ボックス１１は、その内部に断面が楕円形状のダクト１３が設けられていることに特徴がある。低音域用スピーカボックス１１は、ダクト１３の断面を大きく、且つ長さを長くするほど低音特性が向上する。しかし、テレビ受像機の表示本体部１をできる限り薄型化したいので、低音域用スピーカボックス１１もまた、その大きさ及び厚みを小さくする必要がある。そのために、低音域用スピーカボックス１１のダクト１３の断面を楕円形状にして、楕円の短軸方向を表示本体部１の厚さ方向に一致させることにより、表示本体部１の薄型化を図っている。また、ダクト１３の断面が四角形では、音のよどみが発生する。
【００２２】
また、ダクト１３の長さをできる限り長くして低音特性を向上させるために、ダクト１３は低音域用スピーカボックス１１内で斜めになるように設置される。そして排出口（放音口）１２がテレビ受像機の下方に向くように配設されるため、ダクト１３は排出口１２近傍で屈曲している。
【００２３】
また、排出口１２部分のダクト先端１２ａの端面は、径方向にテーパが形成されるように斜め（テーパ）加工されている。また、排出口１２の径をダクト径より大きくしてもよい。上記構成により、小容積、小口径ユニットでも十分な低音特性を得ることができる。
【００２４】
テレビ受像機１０がスタンド８を用いて設置される時、設置される床の材質は場所によって一般的に異なる。例えば、床が絨毯の時には音は吸収され易いが、金属の場合には音は反射され易い。すなわち、音は床の材質に影響を受け易い。
【００２５】
本発明のテレビ受像機１０は、低音域用スピーカボックス１１の中に備えられたダクト１３の排出口１２を下方に向けて構成し、さらにその排出口１２の真下にスタンド底体６が位置するように構成されている。すなわち、スタンド８は、ダクト１３の排出口１２に対向する部位を有していることになる。このような構成により、排出口１２から放音された音はスタンド底体６で吸収・反射されるので、設置場所の床の材質に影響されず安定した音質を得ることができる。
【００２６】
次に、本発明に係わるテレビ受像機におけるスピーカの構成例について、図９ないし図１１を参照しながら詳細に説明する。図９は、テレビ受像機に備えられる３つのスピーカの設置部の一例を示す図で、３つのスピーカ（低音域用スピーカ３，中高音域用スピーカ４ａ，４ｂ）を内蔵するキャビネット等の筐体の外側から、これらスピーカの設置部を見た部分拡大図を図９（Ａ）に、図９（Ａ）のＢ−Ｂ断面図を図９（Ｂ）に示すものである。
【００２７】
同様に、図１０及び図１１は、テレビ受像機に備えられる３つのスピーカの設置部の他の例をそれぞれ示す図で、各図（Ａ）にキャビネット等の筐体の外側からみた部分拡大図を示し、各図（Ｂ）に各図（Ａ）のＢ−Ｂ断面図を示す。
【００２８】
薄型表示装置を備えたテレビ受像機１０の表示部本体１には、上述したように１つの低音域用スピーカ３，及び２つの中高音域用スピーカ４ａ，４ｂが備えられているが、これらスピーカは、表示部本体１の筐体を構成するキャビネット２０の内側に取付けられ、内側からキャビネット２０の外部に向かって音が発されるように構成されている。
【００２９】
図９ないし図１１に示す各実施例では、キャビネット２０の各スピーカ３，４ａ，４ｂの取り付け部において、スピーカの口径に略対応する形状を有するキャビネットの領域Ｒ１に、複数の貫通孔２１を設けている。すなわち、領域Ｒ１の外径は、スピーカの口径に略等しい。そしてさらに上記貫通孔２１を設けた領域Ｒ１の外側周囲の領域Ｒ２に複数の非貫通孔（盲孔）２２を設けている。上記非貫通孔２２は、キャビネット２０の外側（視聴者が通常視認する側）に開口されるように形成されている。
【００３０】
上記複数の貫通孔２１及び非貫通孔２２は、直径０．５ｍｍ〜２ｍｍ程度の孔で、各スピーカに対応する領域ごとに数十個から約千個設けられ、低音域用スピーカ３に対応する非貫通孔２２の形成領域Ｒ２と、中高音域用スピーカ４ａ，４ｂに対応する非貫通孔２２の形成領域Ｒ２とが、互いに異なる面積を有するように構成されている。すなわち、非貫通孔２２の形成領域Ｒ２の外周形状及び／または寸法が、低音域用スピーカ３と中高音域用スピーカ４ａ，４ｂとで互いに異なっている。
【００３１】
上記のように、キャビネット２０には、貫通孔の形成領域Ｒ１の外周に非貫通孔２２の形成領域Ｒ２を設けているので、見かけ上、各スピーカを大きく見せることができ、高級感を得ることができる。また、低音域用スピーカ３と、その左右に配置される中高音域用スピーカ４ａ，４ｂとの視覚的なバランスを良好なものとして、優れた外観デザインを実現するとともに、キャビネット２０の強度を維持することが可能となる。
【００３２】
例えば、低音域用スピーカ３の口径が中高音域用スピーカ４ａ，４ｂの口径より大きく、且つ、低音域用スピーカ３の非貫通孔２２の形成領域Ｒ２の外形寸法を、中高音域用スピーカ４ａ，４ｂの非貫通孔２２の形成領域Ｒ２の外形寸法より小さくした場合、視覚的には低音域用スピーカ３が相対的に小さく感じるが、視覚上得られる低音と中高音のバランスに比べて、実際には豊富な低音を出力することができるので、音響的に好印象を与えることが可能である。さらに、キャビネット２０において、余分な開口は内部への埃の侵入を招くが、スピーカの口径に対応する領域外には非貫通孔２２が形成されているため、埃の侵入を防止できると共に、ビビリ防止にもなる。また余分な貫通孔２１は、音漏れによりバッフル効果がなくなるが、上記構成によりこのような音漏れを防止することができる。
【００３３】
ここで、キャビネット２０の貫通孔２１の形成領域Ｒ１において、貫通孔２１の開口面積の総和／貫通孔２１の形成領域（領域Ｒ１）の全面積を開口率として定義する。図９の構成において、中高音域用スピーカ４ａ，４ｂと、低音域用スピーカ３は同じ口径を有しているが、中高音域用スピーカ４ａ，４ｂに対応する貫通孔２１の開口率と、低音域用スピーカ３に対応する貫通孔２１の開口率とが異なるように構成されている。ここでは、低音域用スピーカ３に対応する貫通孔の開口率を、中高音域用スピーカ４ａ，４ｂに対応する貫通孔の開口率より大きくすることにより、低音特性が向上し、低音と中高音とのバランスを向上させることができる。
【００３４】
そして、図９の構成では、非貫通孔２２の形成領域Ｒ２の外周形状が、中高音域用スピーカ４ａ，４ｂと、低音域用スピーカ３との双方において同じ円形形状を有している。
【００３５】
また、図１０の構成は、上記図９の例と同様に、中高音域用スピーカ４ａ，４ｂと、低音域用スピーカ３とが同じ口径を有し、中高音域用スピーカ４ａ，４ｂに対応する貫通孔２１の開口率と、低音域用スピーカ３に対応する貫通孔２１の開口率とが異なるように構成されている。ここでは、低音域用スピーカ３に対応する貫通孔２１の開口率を、中高音域用スピーカ４ａ，４ｂに対応する貫通孔２１の開口率より大きくすることにより、低音特性が向上し、低音と中高音とのバランスを向上させることができる。
【００３６】
そして、図９の構成と異なり、図１０の構成は、非貫通孔２２の形成領域Ｒ２の外周形状が、中高音域用スピーカ４ａ，４ｂと、低音域用スピーカ３との双方において同じ四角形の形状を有している。
【００３７】
図９及び図１０の構成により、低音を増強させることができると共に、スピーカを大きく見せることができるので、高級感が得られる。各貫通孔２１の形成領域Ｒ１の外周は、各スピーカ３，４ａ，４ｂの形状とほぼ同じ形状になるが、非貫通孔２２の形成領域Ｒ２の外周形状は、円、楕円、四角、多角形等を適宜適用することができる。非貫通孔２２の形成領域Ｒ２の最大寸法は、キャビネット２０の強度や薄型表示装置２との関係等に従って決定される。また、非貫通孔２２の形成領域Ｒ２の大きさは、貫通孔２１の形成領域Ｒ１の大きさに左右されることはない。即ち、スピーカの口径が大きくても、非貫通孔２２の形成領域Ｒ２の外周寸法を小さくしても良い。
【００３８】
図１１の構成において、低音域用スピーカ３は、中高音域用スピーカ４ａ，４ｂより大きい口径を有し、非貫通孔２２の形成領域Ｒ２の外周形状が、中高音域用スピーカ４ａ，４ｂと、低音域用スピーカ３との双方において異なる形状を有している。図１１の例では、中高音域用スピーカ４ａ，４ｂに対応する非貫通孔２２の形成領域Ｒ２の外周形状は円形であり、低音域用スピーカ３に対応する非貫通孔２２の形成領域Ｒ２の外周形状は四角形である。
【００３９】
上記の構成により、低音を増強させることができると共に、スピーカを大きく見せることができるので、高級感が得られる。図１１の例では、図９及び図１０の例と同様に、各貫通孔２１の形成領域Ｒ１の外周は、各スピーカ３，４ａ，４ｂの形状とほぼ同じ形状になるが、非貫通孔３２の形成領域Ｒ２の外周形状は、円、楕円、四角、及び多角形等を適宜適用することができる。非貫通孔２２の形成領域Ｒ２の最大寸法は、キャビネット２０の強度や薄型表示装置２との関係等に従って決定される。また、非貫通孔２２の形成領域Ｒ２の大きさは、貫通孔２１の形成領域Ｒ１の大きさに左右されることはない。即ち、スピーカの口径が大きくても、非貫通孔２２の形成領域Ｒ２の外周寸法を小さくしても良い。
【００４０】
図１２ないし図１４は、表示本体部１における低音域用スピーカ３と中高音域用スピーカ４ａ，４ｂの配設位置を変更した他の実施形態をそれぞれ示す図である。図１２に示す構成は、表示本体部１の表示部である薄型表示装置２の前面上部に中高音域を再生する左右一組の中高音域用スピーカ４ａ，４ｂを配し、これら一組の中高音域用スピーカ４ａ，４ｂの間に低音域を再生する低音域用スピーカ（ウーハ）３を配している。
【００４１】
また、図１３に示す構成は、表示本体部１の表示部である薄型表示装置２の左右前面に中高音域を再生する左右一組の中高音域用スピーカ４ａ，４ｂを配し、薄型表示装置２の前面下部に低音域を再生する低音域用スピーカ（ウーハ）３を配している。
【００４２】
さらに、図１４に示す構成は、表示本体部１の表示部である薄型表示装置２の左右前面に中高音域を再生する左右一組の中高音域用スピーカ４ａ，４ｂを配し、薄型表示装置２の前面上部に低音域を再生する低音域用スピーカ（ウーハ）３を配している。
【００４３】
上記図１２ないし図１４に示すごとくの構成に対して、上述したごとくの図９ないし図１１を参照して説明したごとくの貫通孔２１及び非貫通孔２２を形成することにより、同様の効果を得ることができる。
【００４４】
図１５は、本発明の更に他の実施形態にかかるテレビ受像機を示す図で、図１５（Ａ）は正面図、図１５（Ｂ）は右側面図、図１５（Ｃ）は裏面図である。テレビ受像機１０は、液晶表示装置（ＬＣＤ）、プラズマディスプレイ装置（ＰＤＰ）等の薄型表示装置２を表示部として使用した表示本体部１を備えている。またスタンド８は、スタンド支柱５と、スタンド底体６と、把手部７とから構成され、上部に備えられた把手部７によって把手を兼ねている。スタンド８と表示本体部１の背面は、スタンド８の上部でネジ９によってネジ止めされ、これらスタンド８と表示本体部１とが着脱可能な構成となっている。これにより、スタンド型と壁掛型の二通りの使用形態を選択することができ、ユーザに対して高い利便性を提供する。
【００４５】
上記スタンド底体６には、中高音域を再生する左右一組の中高音域用スピーカ４ａ，４ｂと、上記一組の中高音域用スピーカ４ａ，４ｂの間に配置された低音域を再生する低音域用スピーカ（ウーハ）３が備えられている。
【００４６】
上記のごとくの構成により、表示部本体１にスピーカを備える必要がなく、薄型で小型なテレビ受像機を提供することができる。
【００４７】
尚、本実施形態においても、上記図６ないし図８に示すごとくの低音域用スピーカ（ウーハ）ボックス１１を備え、そのダクト１３の排出口１２が外部に向けて設置されるが、本実施形態の場合は、ダクト排出口１２がスタンド支柱５の裏側に開口するように構成される。
【００４８】
尚、上記実施の形態では、スタンド底体６に低音域用スピーカ３及び中高音域用スピーカ４ａ，４ｂを設けたが、これらスピーカのいずれか、または全てをスタンド支柱５に設けて構成してもよい。
【００４９】
さらに、上記図１５に示すごとくの構成に対して、図９ないし図１１を参照して説明したごとくの貫通孔２１及び非貫通孔２２を形成することにより、同様の効果を得ることができる。
【００５０】
本発明に係る実施形態によれば、低音域を再生するスピーカボックス内１１に備えられたダクト１３の排出口方向１２の真下にスタンド底体６が設置される構造にしているので、音はスタンド底体６で吸収・反射され、設置場所の床の材質に影響されず、低音域と中高音域のバランスが良く、且つ、ビビリを防止して安定した音質を得ることができる。
【００５１】
また、表示部本体１のキャビネット２０もしくはスタンド底体６等の各スピーカ３，４ａ，４ｂを内蔵する筐体には、スピーカ３，４ａ，４ｂの口径に略対応する貫通孔２１の形成領域Ｒ１と、該貫通孔の形成領域Ｒ１の外周に非貫通孔２２の形成領域Ｒ２を設けているので、見かけ上、各スピーカを大きく見せることができ、高級感を得ることができる。また、低音域用スピーカ３と、その左右に配置される中高音域用スピーカ４ａ，４ｂとの視覚的なバランスを良好なものとして、優れた外観デザインを実現するとともに、キャビネット２０等の筐体の強度を維持することが可能となる。
【００５２】
さらに、キャビネット２０等の筐体において、余分な開口は内部への埃の侵入を招くが、スピーカ領域外には非貫通孔２２を形成しているため、埃の侵入を防止できると共に、ビビリ防止にもなる。また余分な貫通孔２１は、音漏れによりバッフル効果がなくなるが、本発明によりこのような音漏れを防止することができる。
【００５３】
また、本発明に係る実施形態では、スタンド８と本体表示部１とが着脱可能に構成されているので、壁掛け用に使用でき、また、机の上でも使用できるので、便利な薄型テレビ受像機を提供することができる。
【００５４】
さらに、スタンド８（スタンド底体６／スタンド支柱５）に各スピーカ３，４ａ，４ｂを備えることにより、本体にスピーカを備える必要がなく、薄型で小型なテレビ受像機が提供できる。
【００５５】
また、各スピーカ３，４ａ，４ｂの口径に略等しい貫通孔２１の形成領域Ｒ１を設け、低音域用スピーカ３に対応する貫通孔２１の開口率を、中高音域用スピーカ４ａ，４ｂに対応する貫通孔２２の開口率より大きくすることにより、低音特性が向上し、低音と中高音とのバランスを向上させることができる。
【産業上の利用可能性】
【００５６】
以上のように、本発明にかかる映像表示装置は、液晶表示装置（ＬＣＤ）、プラズマディスプレイ装置（ＰＤＰ）等の薄型表示装置を備えたパソコン、またはテレビ受像機などに適用することができ、低音域を再生するスピーカ（ウーハ）１つと、中高音域を再生する２つのスピーカ（ツイータ）によって音場拡大効果を得ると共に高級感が得られるようにした映像表示装置を提供することができる。
【図面の簡単な説明】
【００５７】
【図１】従来のテレビ受像機の構成例を示す要部斜視構成図である。
【図２】従来のテレビ受像機の他の構成例を示す要部斜視構成図である。
【図３】従来のテレビ受像機の更に他の構成例を示す平面概略図である。
【図４】従来のテレビ受像機の更に他の構成例を示す側断面概略構成図である。
【図５】本発明の一実施形態にかかわるテレビ受像機を示す図である。
【図６】第５図の表示本体部の内部を裏面側から見た概略図である。
【図７】低音域用スピーカボックス内部の要部構成を示す図である。
【図８】低音域用スピーカボックスの斜視外観図である。
【図９】本発明にかかるテレビ受像機におけるスピーカ設置部の構成例を説明するための図である。
【図１０】本発明にかかるテレビ受像機におけるスピーカ設置部の他の構成例を説明するための図である。
【図１１】本発明にかかるテレビ受像機におけるスピーカ設置部の更に他の構成例を説明するための図である。
【図１２】表示部本体における低音域用スピーカと中高音域用スピーカの配設位置を変更した他の実施形態を示す図である。
【図１３】表示部本体における低音域用スピーカと中高音域用スピーカの配設位置を変更した更に他の実施形態を示す図である。
【図１４】表示部本体における低音域用スピーカと中高音域用スピーカの配設位置を変更した更に他の実施形態を示す図である。
【図１５】本発明の更に他の実施形態にかかるテレビ受像機を示す図である。
【図１】
2006325242.tif 000003
【図２】
2006325242.tif 000004
【図３】
2006325242.tif 000005
【図４】
2006325242.tif 000006
【図５】
2006325242.tif 000007
【図６】
2006325242.tif 000008
【図７】
2006325242.tif 000009
【図８】
2006325242.tif 000010
【図９】
2006325242.tif 000011
【図１０】
2006325242.tif 000012
【図１１】
2006325242.tif 000013
【図１２】
2006325242.tif 000014
【図１３】
2006325242.tif 000015
【図１４】
2006325242.tif 000016
【図１５】
2006325242.tif 000017